(57)【要約】【課題】デジタル放送あるいはアナログ放送に基づいて出力される音声情報が、受信状況に応じて頻繁に切り替わる場合であっても、表示部に表示されるテキスト情報が頻繁に点消灯表示を繰り返すことを防止すること。【解決手段】ＨＤラジオ装置１の表示制御手段５は、放送判断手段２ｂにより受信された放送がデジタル放送であると判断され、かつ、デジタル音声抽出判断手段２ｂによりデジタル放送からデジタル音声情報を抽出可能と判断された場合にのみ、表示手段７にテキスト情報を表示させ、表示手段７にテキスト情報を表示させた後であって、デジタル音声抽出判断手段２ｂによりデジタル放送からデジタル音声情報を抽出できないと判断された状態が所定時間だけ継続された場合、または、放送判断手段２ｂにより受信された放送がアナログ放送であると判断された場合に、表示手段７に表示されたテキスト情報を消去する。【選択図】図１
2012256966.tif 000002
【特許請求の範囲】
【請求項１】
受信された放送がデジタル放送であるかアナログ放送であるかを判断する放送判断手段と、
該放送判断手段により前記放送が前記デジタル放送であると判断された場合に、取得された前記デジタル放送からデジタル音声情報を抽出できるか否かを判断するデジタル音声抽出判断手段と、
前記デジタル放送から当該デジタル放送の内容に関する情報であるテキスト情報を抽出するテキスト情報抽出手段と、
該テキスト情報抽出手段により抽出された前記テキスト情報を表示可能な表示手段と、
該表示手段に表示させる内容の制御を行う表示制御手段と、
を有し、
前記表示制御手段は、
前記放送判断手段により前記放送が前記デジタル放送であると判断され、かつ、前記デジタル音声抽出判断手段により前記デジタル放送から前記デジタル音声情報を抽出できると判断された場合にのみ、前記表示手段に前記テキスト情報を表示させ、
前記表示手段に前記テキスト情報を表示させた後であって、前記デジタル音声抽出判断手段により前記デジタル放送から前記デジタル音声情報を抽出できないと判断された状態が所定時間だけ継続された場合、または、前記放送判断手段により前記放送が前記アナログ放送であると判断された場合に、前記表示手段に表示された前記テキスト情報を消去すること
を特徴とするＨＤラジオ装置。
【発明の詳細な説明】
【技術分野】
【０００１】
本発明はＨＤラジオ装置に関し、より詳細には、デジタル放送あるいはアナログ放送に基づいて出力される音声情報が、放送の受信状況に応じてデジタル音声情報とアナログ音声情報とに頻繁に切り替わる場合において、表示部に表示されるテキスト情報が繰り返し点消灯表示されてしまうことを防止するＨＤラジオ装置に関する。
【背景技術】
【０００２】
一般的な車両には、運転時にラジオ等を聴くことができるように、車載用のラジオ装置が設置されている。日本国内において放送されるラジオ放送は、一般的なアナログ方式のＡＭ放送、あるいはアナログ方式のＦＭ放送であることが多い。一方で、米国においては、ＡＭ放送やＦＭ放送などの一般的なアナログ方式による放送（以下、アナログ放送という。）だけでなく、アナログ信号と同じ周波数において同時にデジタル信号で放送（以下、デジタル放送という）を行うハイブリッドデジタルラジオ放送（以下、ＨＤ（Hybrid Digital）ラジオ放送という）が実用化されている。また、ＨＤラジオ放送を受信するためのＨＤラジオ装置を、車室内に設置する車両も増えている（例えば、特許文献１参照）。
【０００３】
ＨＤラジオ装置を用いてＨＤラジオ放送を受信する場合、アナログ放送しか受信できない地域においては、アナログ信号によるラジオ放送がＨＤラジオ装置から出力されることになる。しかしながら、アナログ放送だけでなくデジタル放送も受信することが可能な地域においては、ラジオ放送が、自動的にアナログ放送からデジタル放送へと切り替えられる。
【０００４】
このようにして、デジタル放送が受信され難い地域においては、従来通りにアナログ放送を出力することによって、確実にラジオ放送を受信することができる。一方で、デジタル放送を受信することが可能な地域においては、デジタル放送をアナログ放送よりも優先させて受信することにより、明瞭な音声とラジオ番組に関する付加的な情報（放送中の音楽の曲名などの情報、この情報をテキスト情報という。）をユーザに提供することが可能となる。
【０００５】
さらに、自動的にアナログ放送とデジタル放送とが切り替えられるので、ユーザはデジタル放送の受信電波状況に応じて手動でアナログ放送とデジタル放送とを切り替える作業を行う必要がない。このため、ユーザは、受信感度に応じたデジタル・アナログ切り替え操作を、ＨＤラジオ装置において行う必要がなくなり、運転に集中することが可能となる。
【先行技術文献】
【特許文献】
【０００６】
【特許文献１】特開２０１０―２８３８６号公報
【発明の概要】
【発明が解決しようとする課題】
【０００７】
ところで、上述したデジタル放送には、デジタル信号による音声情報（以下、デジタル音声情報という）とテキスト情報（例えば、放送局名情報、音楽ジャンル情報、マルチキャスト情報、アーティスト情報、タイトル情報等が該当する）とが含まれている。このため、ＨＤラジオ装置でデジタル放送を受信した場合には、ＨＤラジオ装置の表示部にデジタル放送を受信した旨のアイコンが表示され、また、受信されたテキスト情報の内容が表示される。
【０００８】
しかしながら、デジタル放送が受信し難い状況となると、上述したようにデジタル音声情報は自動的にアナログ信号による音声情報（以下、アナログ音声情報という）に切り替えられるが、ＨＤラジオ装置の表示部に一度表示されたテキスト情報は、アナログ放送に切り替わっても、そのまま表示され続けてしまう場合があった。従って、ユーザは、ＨＤラジオ装置の表示部の表示からは、現在出力されている音声情報がデジタル放送に基づく音声情報（デジタル音声情報）であるのか、アナログ放送に基づく音声情報（アナログ音声情報）であるのかを、容易に判断することができないという問題があった。
【０００９】
このため、ＨＤラジオ装置でデジタル放送を受信した場合であっても、出力される音声情報がデジタル音声情報でない場合（つまりアナログ音声情報である場合）には、ＨＤラジオ装置の表示部にテキスト情報を表示させず、出力される音声情報がデジタル音声情報となる場合にのみテキスト情報を表示させる方法が提案されている（例えば、特願２０１０−１６３８３３号など参照）。
【００１０】
この方法を用いることにより、テキスト情報が表示される場合には、必ず出力される音声信号がデジタル音声情報に基づく信号となる。このため、ユーザは表示部にテキスト情報が表示されているか否かにより、出力される音楽情報がデジタル放送に基づくものであるかアナログ放送に基づくものであるかを確実かつ容易に判断することが可能となる。
【００１１】
しかしながら、デジタル放送の受信状況が不安定な場合には、出力される音声情報が、アナログ放送に基づく音声情報とデジタル放送に基づく音声情報とに、短期間の間で頻繁に切り替わってしまう場合がある。このような状況においては、頻繁にテキスト情報が表示されたり消去されたりするので、テキスト情報がフラッシュのように点消灯表示を繰り返すことになり、ユーザに不快感を与えるおそれがあるという問題があった。
【００１２】
本発明は上記問題に鑑みてなされたものであり、デジタル放送あるいはアナログ放送に基づいて出力される音声情報が、受信状況に応じて頻繁に切り替わる場合であっても、表示部に表示されるテキスト情報が頻繁に点消灯表示を繰り返すことを防止することが可能なＨＤラジオ装置を提供することを課題とする。
【課題を解決するための手段】
【００１３】
上記課題を解決するために、本発明に係るＨＤラジオ装置は、受信された放送がデジタル放送であるかアナログ放送であるかを判断する放送判断手段と、該放送判断手段により前記放送が前記デジタル放送であると判断された場合に、取得された前記デジタル放送からデジタル音声情報を抽出できるか否かを判断するデジタル音声抽出判断手段と、前記デジタル放送から当該デジタル放送の内容に関する情報であるテキスト情報を抽出するテキスト情報抽出手段と、該テキスト情報抽出手段により抽出された前記テキスト情報を表示可能な表示手段と、該表示手段に表示させる内容の制御を行う表示制御手段とを有し、前記表示制御手段は、前記放送判断手段により前記放送が前記デジタル放送であると判断され、かつ、前記デジタル音声抽出判断手段により前記デジタル放送から前記デジタル音声情報を抽出できると判断された場合にのみ、前記表示手段に前記テキスト情報を表示させ、前記表示手段に前記テキスト情報を表示させた後であって、前記デジタル音声抽出判断手段により前記デジタル放送から前記デジタル音声情報を抽出できないと判断された状態が所定時間だけ継続された場合、または、前記放送判断手段により前記放送が前記アナログ放送であると判断された場合に、前記表示手段に表示された前記テキスト情報を消去することを特徴とする。
【００１４】
本発明に係るＨＤラジオ装置の表示制御手段は、放送判断手段により受信された放送がデジタル放送に基づくものであると判断され、かつ、デジタル音声抽出判断手段によりデジタル放送からデジタル音声情報を抽出できると判断された場合にのみ、表示手段にテキスト情報を表示させる。このため、デジタル音声情報に基づく放送がスピーカなどから出力された場合には、表示手段にテキスト情報が表示されることになる。ユーザは、表示手段にテキスト情報が表示されている場合には、少なくとも所定時間以内に、デジタル音声情報に基づく放送がスピーカから出力されたものと判断することが可能となる。
【００１５】
一方で、表示手段にテキスト情報を表示させた後には、デジタル音声抽出判断手段によりデジタル放送からデジタル音声情報を抽出できないと判断された場合であっても、抽出できないと判断されてから所定時間だけ経過しないと（抽出できないと判断された状態が所定時間だけ継続されないと）、表示手段に表示されたテキスト情報が消去されない。このため、例えば、短時間（所定時間以内）に、デジタル放送からデジタル音声情報が抽出可能な状況と、抽出不可能な状況とが受信状況に応じて頻繁に繰り返される場合であっても、表示手段に表示されたテキスト情報が表示され続ける。従って、テキスト情報を表示させたり消去させたりする点消灯状態が短時間に繰り返されることを防止することが可能となり、テキスト情報の点消灯状態によりユーザに不快感を与えてしまうことを避けることが可能となる。
【００１６】
一方で、表示手段にテキスト情報を表示させた後であって、デジタル音声抽出判断手段によりデジタル放送からデジタル音声情報を抽出できないと判断されたときから所定時間経過する前であっても、受信した放送がアナログ放送であると放送判断手段により判断された場合（デジタル放送が受信できなくなった場合）には、表示手段に表示されたテキスト情報が消去される。従って、ユーザは、表示手段にテキスト情報が表示されていない場合には、スピーカから出力される放送がアナログ音声情報に基づくものであると、確実かつ容易に判断することが可能となる。
【発明の効果】
【００１７】
本発明に係るＨＤラジオ装置を用いることにより、デジタル放送からデジタル音声情報を抽出可能な状況と不可能な状況とが受信状況に応じて頻繁に繰り返される場合であっても、表示手段に表示されるテキスト情報が頻繁に点消灯表示を繰り返すことを防止することが可能となる。
【図面の簡単な説明】
【００１８】
【図１】本実施の形態に係る車載用オーディオ装置の概略構成を示したブロック図である。
【図２】本実施の形態に係る車載用オーディオ装置の本体部を示した正面図である。
【図３】本実施の形態に係る制御部の処理内容を示したフローチャートである。
【図４】図３に示したフローチャートによる処理内容を電波状況に応じて時系列的に示した図である。
【発明を実施するための形態】
【００１９】
以下、本発明に係るＨＤラジオ装置を備えた車載用オーディオ装置について、添付図面を参照して説明を行う。
【００２０】
図１は、車載用オーディオ装置の概略構成を示したブロック図である。車載用オーディオ装置１は、ＨＤモジュール部２と、信号処理部３と、スピーカ４と、制御部（表示制御手段）５と、ユーザ入力部６と、表示部（表示手段）７とを有している。
【００２１】
車載用オーディオ装置１において、ＨＤモジュール部２と、信号処理部３と、制御部５とは本体部１０を構成し、車室内のインストルメントパネル中央部などに設置される。本体部１０の正面には、図２に示すように、ユーザ入力部６と表示部７とが設けられている。
【００２２】
ＨＤモジュール部２は、ＨＤラジオ放送（アナログ放送およびデジタル放送の両方の放送）を受信するためのアンテナ２ａと、受信する放送の周波数設定やテキスト情報の抽出処理等を行うチューナー部（放送判断手段、デジタル音声抽出判断手段、テキスト情報抽出手段）２ｂとを有している。アンテナ２ａを介してチューナー部２ｂで受信されたラジオ放送がアナログ放送である場合、チューナー部２ｂは、アナログ信号によるラジオ放送を信号処理部３へ出力する。
【００２３】
一方で、チューナー部２ｂで受信されたラジオ放送がデジタル放送である場合、チューナー部２ｂは、デジタル放送からデジタル音声情報と、テキスト情報とを抽出する。そして、チューナー部２ｂは、デジタル音声情報をアナログ化した後に、オーディオ信号を信号処理部３へ出力する。また、チューナー部２ｂは、制御部５に対して、テキスト情報と、デジタル信号（デジタル放送）が受信されたか否かの情報（以下、デジタル信号受信情報とする）と、デジタル信号（デジタル放送）が受信された状態において、デジタル放送からデジタル音声情報を抽出することができたか否かを示す情報（以下、デジタル音声抽出情報とする）とを出力する。
【００２４】
一方で、チューナー部２ｂには、ユーザによって設定された周波数に関する情報（以下、チューニング情報とする）が、制御部５より入力されており、このチューニング情報に応じて、受信するラジオ放送の周波数設定が行われる。
【００２５】
信号処理部３は、チューナー部２ｂより受信したラジオ放送に対して、制御部５より受信する音量設定情報に対応する音量調整処理を施す。そして、信号処理部３は、音量調整が施されたオーディオ信号をスピーカ４へ出力する。
【００２６】
スピーカ４は、車室内に複数個、例えば、左右の前席ドアや左右の後席ドアなどに設けられている。図１では、便宜上、スピーカ４が１つの機能ブロックで示されているが、スピーカ４の設置個数は１つに限定されるものではなく、必要に応じて複数個設置することも可能である。さらに、スピーカ４の設置位置に関しても、ユーザの嗜好や車両メーカー側の音響設定などに応じて様々な位置に設置することが可能である。
【００２７】
図２は、本体部１０の正面図である。本体部１０の正面には、上述したように、ユーザ入力部６と表示部７とが設けられている。
【００２８】
ユーザ入力部６は、ユーザがラジオ放送の番組選択を行う選択ボタン６ａや、音量調節を行うための操作ツマミ６ｂを有している。ユーザは、表示部７の表示内容に応じてユーザ入力部６の操作を行うことにより、所望のラジオ放送の選択を行うことが可能となっている。
【００２９】
表示部７は、ユーザ入力部６で設定されたラジオ放送に関する情報（例えば、予め放送局が選択ボタン６ａにプリセットされている場合には、選択された選択ボタン６ａに対応するラジオ放送の周波数情報）を表示し、さらに、デジタル放送を受信した場合には、デジタル放送から抽出したテキスト情報を表示することが可能となっている。
【００３０】
表示部７に表示される情報は、例えば、ＨＤアイコン７ａ、周波数情報７ｂ、放送局名情報７ｃ、音楽ジャンル情報７ｄ、マルチキャスト情報７ｅ、アーティスト情報７ｆ、タイトル情報７ｇなどである。
【００３１】
ここで、ＨＤアイコン７ａは、デジタル放送を受信していない場合には消灯（消灯表示）され、デジタル放送が受信可能な状態であるが、デジタル音声情報が確実に受信できていない場合（上述したように、チューナー部２ｂにおいて、デジタル信号受信情報に基づいて受信された信号がデジタル信号（デジタル放送）であると判断され得るが、デジタル音声抽出情報によって、デジタル放送からデジタル音声情報を抽出することができないと判断された場合）には点滅表示される。
【００３２】
さらに、ＨＤアイコン７ａは、デジタル放送が受信可能な状態であって、さらに、デジタル音声情報が受信できている場合（上述したように、チューナー部２ｂにおいて、デジタル信号受信情報とデジタル音声抽出情報とにより、受信したデジタル信号（デジタル放送）からデジタル音声情報を抽出することができると判断された場合）に点灯表示される。このようにしてＨＤアイコン７ａの表示状態が変化することにより、ユーザにデジタル放送の受信電波状況を知らせることが可能となっている。
【００３３】
周波数情報７ｂは、ユーザがユーザ入力部６を操作して選択したラジオ放送の周波数を示している。この周波数情報７ｂは、アナログ放送を受信している場合であっても、デジタル放送を受信している場合であっても、常に表示部７に表示される。
【００３４】
放送局名情報７ｃと、音楽ジャンル情報７ｄと、マルチキャスト情報７ｅと、アーティスト情報７ｆと、タイトル情報７ｇとは、上述したテキスト情報として、デジタル放送に含まれる情報である。ＨＤモジュール部２でデジタル放送（デジタル信号）が受信されると、上述したように、チューナー部２ｂにおいて、デジタル放送からテキスト情報が抽出される。このテキスト情報は、デジタル音声情報に比べて情報量が少ない。このため、デジタル放送からデジタル音声情報を抽出することが困難な受信電波状況であっても、テキスト情報のみを抽出することが可能となる場合が多い。
【００３５】
放送局名情報７ｃは、受信しているラジオ放送の放送局名を示し、音楽ジャンル情報７ｄは、ラジオ放送を発信している放送局における音楽番組のジャンルなどを示している。マルチキャスト情報７ｅとは、同一周波数において聴取することが可能な異なるラジオ放送の種類を示した情報である。ＨＤラジオ放送では、アナログ放送と共通するデジタル放送の放送局を主局とし、異なる放送局をサブ局として、同一周波数でありながら複数のラジオ放送を受信することができる。従って、ユーザは、マルチキャスト情報７ｅにおいて、複数の番号が表示されている場合には、該当する番号を選択することによって、番号に対応した異なるラジオ放送を楽しむことができる。
【００３６】
アーティスト情報７ｆとタイトル情報７ｇとは、放送されている音楽を演奏している（あるいは、歌っている）アーティストの情報と、その音楽（楽曲）のタイトルの情報とを示している。
【００３７】
制御部５は、車載用オーディオ装置１における様々な処理を行っている。制御部５は、ＣＰＵ（Central Processing Unit）５ａと、ＲＯＭ（Read Only Memory）５ｂとＲＡＭ（Random Access Memory）５ｃとを有している。ＲＯＭ５ｂには、様々なプログラムや情報が記録されており、ＣＰＵ５ａは、ＲＯＭ５ｂに記録されるプログラムに基づいて後述する処理を行う。ＲＡＭ５ｃは、一時的な作業領域として使用され、処理作業においてデータを一時的に記録する場合などに用いられる。例えば、チューナー部２ｂより受信したテキスト情報などは、ＲＡＭ５ｃに一時的に記録される。また、ＲＡＭ５ｃには後述する処理において利用されるフラグ情報が記録される。
【００３８】
ＣＰＵ５ａは、ＲＯＭ５ｂに記録されるプログラムに基づいて様々な処理を行う。具体的に、ＣＰＵ５ａは、ユーザ入力部６より入力されるユーザの設定情報に基づいて、チューナー部２ｂへチューニング情報を出力する処理を行う。また、ＣＰＵ５ａは、チューナー部２ｂより受信したデジタル信号受信情報、デジタル音声抽出情報およびテキスト情報に基づいて、表示部７の表示制御を行う。さらに、ＣＰＵ５ａは図示を省略したタイマ機能を備えており、所定のタイミングでタイマをスタートさせてタイマによる時間経過判断を行うことが可能となっている。
【００３９】
図３は、制御部５のＣＰＵ５ａが行う表示部７の表示制御内容を示したフローチャートである。このフローチャートの処理内容を示したプログラムはＲＯＭ５ｂに記録されている。ＣＰＵ５ａは、ＲＯＭ５ｂから図３のフローチャートに対応するプログラムを読み出して、表示制御処理を実行する。
【００４０】
まず、制御部５のＣＰＵ５ａは、ユーザ入力部６においてユーザが設定した周波数に基づいて、チューナー部２ｂへチューニング情報を出力する。チューナー部２ｂでは、制御部５によって出力されたチューニング情報を受信し、受信したチューニング情報に基づいてラジオ放送の周波数設定を行う。
【００４１】
チューナー部２ｂで周波数設定が行われることにより、アンテナ２ａを介して該当する周波数のラジオ放送が受信され、受信された信号が信号処理部３へ出力される。また、チューナー部２ｂでは、受信されたラジオ放送がアナログ信号（アナログ放送）であるかデジタル信号（デジタル放送）であるか否かを判断して、デジタル信号受信情報を制御部５に出力する。また、デジタル信号（デジタル放送）を受信できた場合であって、テキスト情報を抽出できた場合、チューナー部２ｂは、テキスト情報を制御部５に出力する。さらに、デジタル放送を受信できた場合に、チューナー部２ｂは、デジタル音声情報をデジタル放送から抽出できたか否かを示すデジタル音声抽出情報を制御部５へ出力する。
【００４２】
ＣＰＵ５ａでは、ＲＡＭ５ｃのフラグ情報をクリアにする処理（フラグの値として０をセットする処理）を行う（ステップＳ．１）。このフラグ情報は、デジタル放送からデジタル音声情報を抽出可能な状況になった場合にセットされる情報である。
【００４３】
次に、ＣＰＵ５ａは、チューナー部２ｂよりデジタル信号受信情報を取得し（ステップＳ．２）、チューナー部２ｂにおいてデジタル放送を受信できたか否かを判断する（ステップＳ．３）。デジタル放送を受信できなかった場合（つまり、チューナー部２ｂにおいてアナログ放送だけしか受信できなかった場合、ステップＳ．３においてＮｏの場合）、ＣＰＵ５ａは、表示部７に、周波数情報７ｂだけを表示させ、他の情報（ＨＤアイコン７ａ、放送局名情報７ｃ、音楽ジャンル情報７ｄ、マルチキャスト情報７ｅ、アーティスト情報７ｆ、タイトル情報７ｇ）を表示部７に表示させない（もし、既に表示されている場合には消去する）（ステップＳ．４）。
【００４４】
その後、ＣＰＵ５ａは、フラグ情報をクリアにする処理（フラグの値として０をセットする処理）を行うと共に、後述するタイマが稼働状態である場合には、タイマをストップする処理を行う（ステップＳ．５）。そして、ＣＰＵ５ａ、上述したデジタル信号受信情報の受信処理（ステップＳ．２）を繰り返し実行する。
【００４５】
一方で、デジタル放送を受信できた場合（ステップＳ．３においてＹｅｓの場合）、ＣＰＵ５ａは、チューナー部２ｂよりテキスト情報を取得して、ＲＡＭ５ｃに一時的に記録する（ステップＳ．６）。
【００４６】
そして、ＣＰＵ５ａは、チューナー部２ｂよりデジタル音声抽出情報を取得し（ステップＳ．７）、デジタル音声抽出情報に基づいて、デジタル放送からデジタル音声情報を抽出できたか否かの判断を行う（ステップＳ．８）。
【００４７】
デジタル音声情報を抽出できた場合（ステップＳ．８においてＹｅｓの場合）、ＣＰＵ５ａは、ＲＡＭ５ｃよりテキスト情報を読み出す（ステップＳ．９）。その後、ＣＰＵ５ａは、ＨＤアイコン７ａを表示部７に点灯表示させ、周波数情報７ｂを表示させると共に、テキスト情報に基づいて放送局名情報７ｃ、音楽ジャンル情報７ｄ、マルチキャスト情報７ｅ、アーティスト情報７ｆ、タイトル情報７ｇを表示部７に表示させる（ステップＳ．１０）。
【００４８】
その後、ＣＰＵ５ａは、フラグ情報をセットする処理（フラグの値として１をセットする処理）を行うと共に、後述するタイマが稼働状態である場合には、タイマをストップする処理を行う（ステップＳ．１１）。そして、ＣＰＵ５ａ、上述したデジタル信号受信情報の受信処理（ステップＳ．２）を繰り返し実行する。
【００４９】
一方で、デジタル音声情報を抽出できなかった場合（ステップＳ．８においてＮｏの場合）、ＣＰＵ５ａは、ＲＡＭ５ｃよりフラグ情報を取得し（ステップＳ．１２）、フラグ情報がクリアであるか否か（フラグの値が０であるか否か）の判断を行う（ステップＳ．１３）。
【００５０】
フラグ情報がクリアである場合（ステップＳ．１３においてＹｅｓの場合）、ＣＰＵ５ａは、表示部７にＨＤアイコン７ａを点滅表示させると共に、周波数情報７ｂを表示させ、他の情報（放送局名情報７ｃ、音楽ジャンル情報７ｄ、マルチキャスト情報７ｅ、アーティスト情報７ｆ、タイトル情報７ｇ）を表示部７に表示させない（もし、既に表示されている場合には消去する）処理を行う（ステップＳ．１４）。そして、上述したデジタル信号受信情報の受信処理（ステップＳ．２）を繰り返し実行する。
【００５１】
上述したように、フラグ情報がセットされる（ステップＳ．１１）のは、既にデジタル音声情報がデジタル放送から抽出された場合（ステップＳ．８においてＹｅｓの場合）であって、表示部７に、ＨＤアイコン７ａ、周波数情報７ｂ、テキスト情報（放送局名情報７ｃ、音楽ジャンル情報７ｄ、マルチキャスト情報７ｅ、アーティスト情報７ｆ、タイトル情報７ｇ）が表示された場合である。従って、フラグ情報がクリアである場合（ステップＳ．１３においてＹｅｓの場合）は、未だにデジタル音声情報が抽出されていない（ステップＳ．８においてＮｏの場合）か、あるいは、チューナー部２ｂにおいてデジタル放送を受信できなかった場合（チューナー部２ｂにおいてアナログ放送だけしか受信できなかった場合、ステップＳ．３においてＮｏの場合）が該当する。
【００５２】
このように、未だにデジタル音声情報を受信できない場合、あるいはアナログ放送しか受信できない場合には、点滅表示されるＨＤアイコン７ａと、周波数情報７ｂとが表示部７に表示され、テキスト情報（放送局名情報７ｃ、音楽ジャンル情報７ｄ、マルチキャスト情報７ｅ、アーティスト情報７ｆ、タイトル情報７ｇ）が表示されないことにより、ユーザに対して、スピーカ４より出力される音楽がアナログ放送であると知らせることが可能となる。
【００５３】
フラグ情報がクリアでない場合（つまり、フラグの値として１がセットされている場合、ステップＳ．１３においてＮｏの場合）、ＣＰＵ５ａは、タイマが稼働状態であるか否かの判断を行う（ステップＳ．１５）。タイマが稼働状態でない場合（ステップＳ．１５においてＮｏの場合）、ＣＰＵ５ａは、タイマをスタートさせる（ステップＳ．１６）。
【００５４】
ここで、フラグ情報がクリアでない場合（ステップＳ．１３においてＮｏの場合）とは、デジタル音声情報が抽出され（ステップＳ．８においてＹｅｓの場合）、フラグ情報がセットされた（ステップＳ．１１）後に、少なくとも、チューナー部２ｂにおいてデジタル放送を受信できなかったとの判断がなされていない状態が該当する。つまり、フラグ情報がセットされた（ステップＳ．１１）後であって、デジタル放送は受信可能である（ステップＳ．３においてＹｅｓの場合）が、デジタル音声情報を抽出することができない場合（ステップＳ．８においてＮｏの場合）に該当する。
【００５５】
このように、デジタル放送が受信可能な状態であって、デジタル音声情報が受信可能な状態から受信不可能な状態へと変わったときに、表示部７におけるテキスト情報を非表示（消去）にする処理を行うと、その後に、デジタル音声情報が受信可能な状態に変わったり、受信不可能な状態に変わったりするタイミングでテキスト表示が表示・非表示を繰り返すことになり、フラッシュのように点消灯表示されることになってしまうおそれがある。
【００５６】
このため、ＣＰＵ５ａは、デジタル放送が受信可能な状態において、デジタル音声情報が受信可能な状態から受信不可能な状態へと変わったときに、いきなりテキスト表示を非表示に（消去）するのではなく、タイマをスタートさせ、
（１）タイマが所定時間経過するまで（次述するステップＳ．１７においてＹｅｓの場合）、
（２）タイマが所定時間経過する前にデジタル放送が受信不可能な状態（ステップＳ．３においてＮｏの場合）となるまで、あるいは、
（３）タイマが所定時間経過する前にデジタル音声情報が受信可能な状態となって（ステップＳ．８においてＹｅｓの場合）、表示部７に新たにテキスト情報が表示されるまで、
表示部７に既に表示されているテキスト情報を表示させたまま維持する。
【００５７】
タイマをスタートさせた後（ステップＳ．１６）、ＣＰＵ５ａは、上述したデジタル信号受信情報の受信処理（ステップＳ．２）を繰り返し実行する。一方で、タイマが稼働状態である場合（ステップＳ．１５においてＹｅｓの場合）、ＣＰＵ５ａは、タイマが所定時間、本実施の形態においては３０秒経過したか否かを判断する（ステップＳ．１７）。
【００５８】
３０秒経過していない場合（ステップＳ．１７においてＮｏの場合）、ＣＰＵ５ａは、上述したデジタル信号受信情報の受信処理（ステップＳ．２）を繰り返し実行することにより、
（１）タイマが３０秒（所定時間）経過するか（ステップＳ．１７においてＹｅｓの場合）、
（２）タイマが３０秒経過する前にデジタル放送が受信不可能な状態（ステップＳ．３においてＮｏの場合）となるか、あるいは、
（３）タイマが３０秒経過する前にデジタル音声情報が受信可能な状態（ステップＳ．８においてＹｅｓの場合）となるか
を繰り返し判断する。
【００５９】
タイマが３０秒経過した場合（ステップＳ．１７においてＹｅｓの場合）、ＣＰＵ５ａは、デジタル放送が受信可能な状態であって、さらに、デジタル音声情報を抽出できない状態が、３０秒間続いたものと判断して、フラグ情報をクリアにする処理（フラグの値として０をセットする処理）を行うと共に、タイマをストップする処理を行う（ステップＳ．１８）。そして、ＣＰＵ５ａ、表示部７に表示されていたテキスト情報の表示を消去して、表示部７にＨＤアイコン７ａを点滅表示させると共に、周波数情報７ｂを表示させ、他の情報（放送局名情報７ｃ、音楽ジャンル情報７ｄ、マルチキャスト情報７ｅ、アーティスト情報７ｆ、タイトル情報７ｇ）を表示部７に表示させない処理を行う（ステップＳ．１９）。そして、ＣＰＵ５ａは、上述したデジタル信号受信情報の受信処理（ステップＳ．２）を繰り返し実行する。
【００６０】
なお、上述した処理（ステップＳ．１〜ステップＳ．１９）は、ユーザにより車載用オーディオ装置１がＯＦＦされた場合（あるいは、ラジオチューナがＯＦＦされた場合や、他の音源（ＣＤなど）に切り替えが行われた場合）などにおいて、何らかの割り込み処理が行われることにより、処理を終了する構成となっている。
【００６１】
図４は、デジタル放送およびアナログ放送の受信電波の変化を時系列的に示した図である。この図において、デジタル信号受信情報に基づくデジタル放送の受信有無、デジタル音声抽出情報に基づくデジタル音声情報の抽出有無、ＨＤアイコン７ａの表示状態、およびスピーカ４から出力される音楽（オーディオ信号）の種類（アナログ放送に基づくオーディオ信号かデジタル放送（デジタル音声情報）に基づくオーディオ信号か）を示し、さらに、それぞれの状況における表示部７の表示状態を示している。
【００６２】
まず、ＨＤモジュール部２においてアナログ放送だけが受信され、デジタル放送が受信できない状況（図４に示すＡ区間（矢印区間））では、デジタル放送を受信できない。このため、デジタル信号受信情報により判断されるデジタル放送の受信状況は「無」の状態となり、また、デジタル音声抽出情報による判断はデジタル音声情報が抽出できない「無」の状態となる。さらに、デジタル放送を受信できないため、ＨＤアイコン７ａが「消灯」状態となり、スピーカ４から出力されるオーディオ信号も「アナログ（アナログ放送に基づくオーディオ信号）」となる。
【００６３】
このＡ区間の状態は、上述した図３のフローチャートにおいて、デジタル放送が受信できないと判断され（ステップＳ．３においてＮｏの場合）、表示部７に周波数情報７ｂのみが表示され、他の情報が表示されない状態（ステップＳ．４）を示している。
【００６４】
図４に示すＢ区間は、Ａ区間に示す状況から受信電波状況が少し改善されて、デジタル放送を受信することは可能であるが、デジタル音声情報を抽出することができない状態へと電波状況が変化した状態を示している。Ｂ区間の状態では、デジタル放送を受信することは可能であるため、デジタル放送の受信状況は「有」の状態となる。一方で、Ｂ区間では、デジタル音声情報の抽出ができない状況であるため、デジタル音声抽出情報により判断されるデジタル音声情報の抽出状況は「無」の状態となる。また、ＨＤアイコン７ａの表示は、デジタル放送が受信可能であるため、消灯表示状態から点滅表示状態へと変化する。なお、ＨＤアイコン７ａは、デジタル音声情報の抽出状況が「無」の状態であることから、点灯表示状態には変化せず、点滅表示状態を維持することになる。また、デジタル音声情報を抽出することができないことから、スピーカ４から出力されるオーディオ信号は「アナログ」となる。
【００６５】
このＢ区間の状態は、上述した図３のフローチャートにおいて、デジタル放送が受信できると判断された（ステップＳ．３においてＹｅｓの場合）が、デジタル音声情報の抽出が不可能であると判断され（ステップＳ．８においてＮｏの場合）、ステップＳ．１４において、表示部７にＨＤアイコン７ａを点滅表示させると共に、周波数情報７ｂを表示させ、他の情報が表示されない状態を示している。
【００６６】
図４に示すＣ区間は、Ｂ区間に示す状況から受信電波状況が改善されて、デジタル放送を受信することができ、さらに、デジタル音声情報を抽出することができる状態へと電波状況が変化した状態を示している。
【００６７】
Ｃ区間の状態では、デジタル放送を受信することは可能であるため、デジタル信号受信情報により判断されるデジタル放送の受信状況は「有」の状態となる。また、Ｃ区間では、デジタル音声情報の抽出を行うことが可能であるため、デジタル音声抽出情報により判断されるデジタル音声情報の抽出状況は「有」の状態となる。さらに、ＨＤアイコン７ａの表示は、デジタル放送が受信可能であると共に、デジタル音声情報の抽出が可能であるため、点滅表示状態から点灯表示状態へと変化する。さらに、デジタル音声情報を抽出することが可能であるため、スピーカ４から出力されるオーディオ信号は「デジタル（デジタル放送に基づくオーディオ信号）」となる。
【００６８】
このＣ区間の状態は、上述した図３のフローチャートにおいて、デジタル放送が受信できると判断され（ステップＳ．３においてＹｅｓの場合）、さらに、デジタル音声情報の抽出が可能と判断されて（ステップＳ．８においてＹｅｓの場合）、ステップＳ．１０において、表示部７にＨＤアイコン７ａを点灯表示させると共に、周波数情報７ｂと全てのテキスト情報を表示させた状態を示している。
【００６９】
図４に示すＤ区間は、Ｃ区間に示す状況から受信電波状況が少し悪化して、Ｂ区間に示す状況と同じ状況に変化した場合を示している。Ｂ区間の状態では、デジタル放送を受信することは可能であるため、デジタル放送の受信状況が「有」の状態となり、デジタル音声情報の抽出ができない状況であるため、デジタル音声情報の抽出状況が「無」の状態となる。ＨＤアイコン７ａの表示は、デジタル放送が受信可能である一方で、デジタル音声情報の抽出が不可能であるため点滅表示状態となり、また、デジタル音声情報を抽出することができないことから、スピーカ４から出力されるオーディオ信号は「アナログ」となる。
【００７０】
ただし、Ｃ区間に示す状況から受信電波状況が悪化してＤ区間の状況になると同時に、タイマがスタートされ（図３におけるステップＳ．１６）、Ｄ区間の状況が３０秒間維持された場合には、表示部７に表示されていた周波数情報７ｂおよびテキスト情報（放送局名情報７ｃ、音楽ジャンル情報７ｄ、マルチキャスト情報７ｅ、アーティスト情報７ｆ、タイトル情報７ｇ）が、３０秒の間そのまま表示される。
【００７１】
そして、Ｄ区間において３０秒経過後に、表示部７に表示されていたテキスト情報（放送局名情報７ｃ、音楽ジャンル情報７ｄ、マルチキャスト情報７ｅ、アーティスト情報７ｆ、タイトル情報７ｇ）が消去され、点滅表示されるＨＤアイコン７ａと周波数情報７ｂだけが、表示部７に表示されることになる。
【００７２】
このＤ区間の状態は、上述した図３のフローチャートにおいて、デジタル放送が受信できると判断された（ステップＳ．３においてＹｅｓの場合）が、デジタル音声情報の抽出が不可能であると判断された後に（ステップＳ．８においてＮｏの場合）、タイマが３０秒経過して（ステップＳ．１７においてＹｅｓの場合）、表示部７に表示されていたテキスト情報（放送局名情報７ｃ、音楽ジャンル情報７ｄ、マルチキャスト情報７ｅ、アーティスト情報７ｆ、タイトル情報７ｇ）が消去され、点滅表示されるＨＤアイコン７ａと周波数情報７ｂだけが表示された状態（ステップＳ．１９）を示している。
【００７３】
図４に示すＥ区間は、Ｄ区間に示す状況から受信電波状況が少し悪化して、Ａ区間に示す状況と同じ状況に変化した場合を示している。Ｅ区間の状態では、アナログ放送だけ受信され、デジタル放送が受信できないため、デジタル放送の受信状況が「無」の状態となり、デジタル音声情報が抽出できないためデジタル音声情報の抽出状況が「無」の状態となる。さらに、デジタル放送を受信できないため、ＨＤアイコン７ａが消灯表示状態となり、スピーカ４から出力されるオーディオ信号も「アナログ」となる。
【００７４】
このＥ区間の状態は、上述した図３のフローチャートにおいて、デジタル放送が受信できないと判断され（ステップＳ．３においてＮｏの場合）、表示部７に周波数情報７ｂのみが表示され、他の情報が表示されない状態（ステップＳ．４）を示している。
【００７５】
このように、本実施の形態に係る車載用オーディオ装置１を用いる場合には、ＨＤアイコン７ａの表示状態によって、
（１）アナログ放送のみが受信されている状況であるか、
（２）デジタル放送が受信可能な状態であって、デジタル音声情報を抽出することが不可能な状況であるか、
（３）デジタル音声情報を抽出することが可能な状況であるか
を容易に判断することができる。
【００７６】
さらに、テキスト情報が表示される場合には、デジタル放送が受信不可能な状況にならない限り、オーディオ信号がデジタル音声情報とアナログ音声情報とに何度切り替わっても、オーディオ信号がデジタル音声情報であったとき（デジタル音声情報からアナログ音声情報へ最後に切り替わったとき）から３０秒経過するまでは、テキスト情報が表示部７に表示され続ける。このため、オーディオ信号がデジタル音声情報とアナログ音声情報とで切り替わるタイミングで、表示部７のテキスト表示が点消灯を繰り返してしまうことを防止することが可能となる。
【００７７】
以上、本発明に係るＨＤラジオ装置の一例として、車載用オーディオ装置１を示して説明を行ったが、本発明に係るＨＤラジオ装置は、上述した車載用オーディオ装置１のみに限定されるものではない。当業者であれば、特許請求の範囲に記載された範疇内において、各種の変更例または修正例に想到し得ることは明らかであり、それらについても当然に本発明の技術的範囲に属するものと了解される。
【００７８】
例えば、本実施の形態に係る車載用オーディオ装置１では、ＣＰＵ５ａにおいてタイマの判断時間を３０秒に設定したが、タイマの設定時間は３０秒には限定されない。タイマの設定時間は、ユーザによってあるいは車載用オーディオ装置１の設計者によって変更できるようにすることも可能である。例えば、３０秒には限定されず、一例として０秒〜２５５秒の間で自由に設定を変更することが可能な構成としてもよい。
【００７９】
また、本実施の形態に係る車載用オーディオ装置１では、デジタル放送からデジタル音声情報を抽出可能であるか否かの情報として、デジタル音声抽出情報をチューナー部２ｂから制御部５へ出力し、さらに、デジタル放送から抽出された放送局名情報などの情報をテキスト情報としてチューナー部２ｂから制御部５へ出力する構成について説明を行った。
【００８０】
しかしながら、デジタル音声抽出情報とテキスト情報とは必ずしも別々の情報にしなければならない訳ではない。デジタル音声抽出情報にテキスト情報に該当する情報を含めることによって、デジタル音声抽出情報からテキスト情報に該当する情報を読み取ることができる場合には、デジタル音声情報の抽出が可能な状況であると判断し、テキスト情報に該当する情報を読み取ることができない場合には、デジタル音声情報の抽出が不可能な状況であると判断する構成にしてもよい。このような処理内容とすることにより、テキスト情報の取得処理およびＲＡＭ５ｃに対する記録処理（図３に示すステップＳ．６）や、ＲＡＭ５ｃからテキスト情報を読み出す処理（図３に示すステップＳ．９）を省略することが可能となり、処理の簡略化を図ることが可能となる。
【００８１】
さらに、本実施の形態に係る車載用オーディオ装置１では、デジタル信号受信情報と、デジタル音声抽出情報と、テキスト情報とをそれぞれ別々の情報として説明したが、全ての情報を含む１種類の情報をチューナー部２ｂから制御部５へ出力することにより、一度の情報取得処理により、複数の判断処理（図３に示すステップＳ．３およびステップＳ．８）に必要な判断情報と、表示部７の表示処理に必要な表示情報（テキスト情報）とを取得する構成とすることも可能である。
【００８２】
また、本実施の形態に係る車載用オーディオ装置１では、デジタル信号受信情報に基づいてデジタル放送を受信できた（ステップＳ．３においてＹｅｓの場合）後すぐに、テキスト情報を取得する処理を行い、そのテキスト情報をＲＡＭ５ｃに一時的に記録させる（ステップＳ．６）構成について説明を行ったが、デジタル音声抽出情報に基づいてデジタル音声情報をデジタル放送から抽出できた場合（ステップＳ．８においてＹｅｓの場合）に、受信したデジタル放送からテキスト情報を取得して、表示部７に表示させる（ステップＳ．１０に該当する処理）構成とすることも可能である。
【００８３】
このような処理内容とすることにより、テキスト情報を取得してＲＡＭ５ｃに記録する処理（ステップＳ．６）と、ＲＡＭ５ｃからテキスト情報を読み出す処理（ステップＳ．９）との２つの処理を、デジタル放送からデジタル音声情報を抽出できた場合（ステップＳ．８においてＹｅｓの場合）にテキスト情報を受信する１つの処理にまとめることができ、処理の簡略化を図ることが可能となる。
【符号の説明】
【００８４】
１     …車載用オーディオ装置（ＨＤラジオ装置）
２     …ＨＤモジュール部
２ａ   …アンテナ
２ｂ   …チューナー部（放送判断手段、デジタル音声抽出判断手段、テキスト情報抽出手段）
３     …信号処理部
４     …スピーカ
５     …制御部（表示制御手段）
５ａ   …ＣＰＵ
５ｂ   …ＲＯＭ
５ｃ   …ＲＡＭ
６     …ユーザ入力部
６ａ   …選択ボタン
６ｂ   …操作ツマミ
７     …表示部（表示手段）
７ａ   …ＨＤアイコン
７ｂ   …周波数情報
７ｃ   …放送局名情報（テキスト情報）
７ｄ   …音楽ジャンル情報（テキスト情報）
７ｅ   …マルチキャスト情報（テキスト情報）
７ｆ   …アーティスト情報（テキスト情報）
７ｇ   …タイトル情報（テキスト情報）
１０   …本体部
【図１】
2012256966.tif 000003
【図２】
2012256966.tif 000004
【図３】
2012256966.tif 000005
【図４】
2012256966.tif 000006